(57)【要約】      （修正有）【課題】構造がシンプルで組み立てやすく、ＰＴＰシートから押し出された薬剤等が確実に保持され、その薬剤等を手で触らずに服用できるＰＴＰ用包装体を提供する。【解決手段】台紙１２には、一列に順に連接された第一外板１４、第二外板１６及び内板１８が設けられる。第一外板１４は、主折罫線２２を介して第二外板１６と区切られ、内板１８は、副折罫線２８を介して第二外板１６と区切られる。第一外板１４は、第一外板１４の内側を連接方向に横切る第一折罫線２０（１）、２０（２）によって第一中央領域１４ａと第一端領域１４ｂ（１）、１４ｂ（２）とに区切られる。第二外板１６は、第二外板１６の内側を連接方向に横切る第二折罫線２４（１）、２４（２）によって第二中央領域１６ａと第二端領域１６ｂ（１）、１６ｂ（２）とに区切られる。第一折罫線２０（１）、２０（２）の一端部同士の間隔α１は、第二折罫線２４（１）、２４（２）の一端部同士の間隔β１よりも広い。【選択図】図２
0003234715.tif 000002
【実用新案登録請求の範囲】
【請求項１】
内側に収容物を収容した突出部と前記突出部の周囲に設けられたフランジ部とを有する樹脂成形体に、破断可能な蓋材が貼り付けられて前記突出部の開口端が閉鎖されたＰＴＰシートを包装するためのＰＴＰ用包装体において、
１枚の台紙からなり、前記台紙には、一列に順に連接された第一外板、第二外板及び内板が設けられ、前記第一外板は、主折罫線を介して前記第二外板と区切られ、前記内板は、副折罫線を介して前記第二外板と区切られており、
前記第一外板は、前記第一外板の内側を連接方向に横切る２つの第一折罫線によって第一中央領域と２つの第一端領域とに区切られ、前記第二外板は、前記第二外板の内側を連接方向に横切る２つの第二折罫線によって第二中央領域と２つの第二端領域とに区切られており、
前記第一折罫線及び前記第二折罫線は、２つの前記第一折罫線の、前記主折罫線と反対側の端部同士の間隔が、前記第二折罫線の、前記主折罫線と反対側の端部同士の間隔よりも広くなるように設けられており、
前記第二外板の第二中央領域には、前記樹脂成型体の前記突出部が嵌合可能な大きさの外側透孔が設けられ、前記内板には、前記蓋材の、前記突出部の開口端を塞いでいる閉鎖部分に対応した大きさの内側透孔が設けられており、
組み立て状態で、前記内板は、前記副折罫線で折れて前記第二外板に重なって前記第二中央領域の内側に収まり、前記ＰＴＰシートは、前記内板と前記第二中央領域との間に配され、前記突出部が前記外側透孔を通じて外側に突出し、前記フランジ部及び前記蓋材が前記内板及び前記第二中央領域に挟まれて保持され、前記閉鎖部分が前記内側透孔に対向し、前記第一外板は、前記主折罫線で折れて前記第二外板及び前記内板に重なり、前記内板及び前記第二中央領域が前記第一中央領域の内側に収まり、対向する前記第一端領域と前記第二端領域とが相互に糊付けされており、
使用者が、２つの前記第一端領域を互いに対向させる方向に力を加えると、前記第一折罫線及び前記第二折罫線が折れ、前記第一中央領域が変形して前記内板及び前記第二中央領域から離れることによって、前記第一の中央領域と前記第二中央領域との間に収容物受け部が形成されることを特徴とするＰＴＰ用包装体。
【請求項２】
一方の前記第一折罫線とこれに対応する前記第二折罫線は、互いに近接した位置で前記主折罫線と交わるように設けられ、
他方の前記第一折罫線とこれに対応する前記第二折罫線は、互いに近接した位置で前記主折罫線と交わるように設けられている請求項１記載のＰＴＰ用包装体。
【請求項３】
前記第一中央領域には、前記収容物受け部が形成される動作を補助する補助折罫線が設けられている請求項１又は２記載のＰＴＰ用包装体。
【考案の詳細な説明】
【技術分野】
【０００１】
本考案は、医療用の薬剤等を収容したＰＴＰシートの包装に使用されるＰＴＰ用包装体に関する。
【背景技術】
【０００２】
ＰＴＰシートは、医療用の薬剤等のパッケージとして広く使用されている。例えば、図８（ａ）、（ｂ）に示すＰＴＰシート１は、エンボス状の突出部２ａと突出部２ａの周囲に設けられたフランジ部２ｂとを有した透明又は半透明の樹脂成形体２と、破断可能なアルミ箔等で成る蓋材３とで構成され、樹脂成形体２のフランジ部２ｂに蓋材３を貼り付けることによって、収容物Ｓが入った突出部２ａの開口端を閉鎖している。突出部２ａの頂部を外側から指で押し込むと、蓋材３の閉鎖部分３ａが収容物Ｓに押されて破断し、収容物Ｓが外に押し出され、収容物Ｓを取り出すことができる。このＰＴＰシート１は、突出部２ａが２個のタイプで、外形が非常に小さい（例えば、３０ｍｍ×４０ｍｍ程度）。
【０００３】
ＰＴＰシート１のような小形のＰＴＰシートは、小さ過ぎてお年寄り等には扱いにくいという指摘があり、近年、小形のＰＴＰシートを手頃な大きさのＰＴＰ用包装シートに包装することによって、ＰＴＰシートから収容物を取り出しやすくすることが行われている。
【０００４】
従来、例えば特許文献１に開示されているように、ＰＴＰシートの樹脂成形体側の面に重ねられる第一シートと、ＰＴＰシートの蓋材側の面に重ねられる第二シートとを糊付けすることによって形成される包装体があった。この包装体は、第一シートの中央部に、樹脂成形体の突出部が嵌合される嵌め孔が設けられ、第二シートの中央部に、蓋材の閉鎖部分が対向する略短冊状の切込形成領域が設けられている。切込形成領域は、隣接する複数の帯状領域を形成する複数の第一切込線と、帯状領域を長さ方向の途中の位置で分断して複数の短冊片にする第二切込線とにより設けられている。
【０００５】
特許文献１の包装体によれば、第一シート及び第二シートが手頃な大きさなので、ＰＴＰシートをハンドリングしやすくなり、突出部を押し込んで収容物を外に出した時、収容物が包装体の短冊片によって保持されるので、収容物が勢い余って飛び出してしまうのを防止することができる。
【先行技術文献】
【特許文献】
【０００６】
【特許文献１】特開２０１７−１５４７７５号公報
【考案の概要】
【考案が解決しようとする課題】
【０００７】
特許文献１の包装体の場合、切込形成領域は、使用者が収容物を容易に押し出すことができ、且つ押し出された収容物が短冊片で確実に保持される必要があるので、第一切込線のピッチや第二切込線の配置等を、基材の材質や厚みが変更される毎に微妙に調節して最適化しなければならず、設計するのに手間が掛かる。
【０００８】
また、使用者は、収容物である薬剤を服用する時、短冊片に保持された薬剤を手で受け取ってから口等に入れることになる。しかしながら、衛生面を考えると、できれば手で触らずに服用できることが好ましい。
【０００９】
本考案は、上記背景技術に鑑みて成されたものであり、構造がシンプルで組み立てやすく、ＰＴＰシートから押し出された薬剤等が確実に保持され、その薬剤等を手で触らずに容易に服用できるＰＴＰ用包装体を提供することを目的とする。
【課題を解決するための手段】
【００１０】
本考案は、内側に収容物を収容した突出部と前記突出部の周囲に設けられたフランジ部とを有する樹脂成形体に、破断可能な蓋材が貼り付けられて前記突出部の開口端が閉鎖されたＰＴＰシートを包装するためのＰＴＰ用包装体であって、
１枚の台紙からなり、前記台紙には、一列に順に連接された第一外板、第二外板及び内板が設けられ、前記第一外板は、主折罫線を介して前記第二外板と区切られ、前記内板は、副折罫線を介して前記第二外板と区切られており、前記第一外板は、前記第一外板の内側を連接方向に横切る２つの第一折罫線によって第一中央領域と２つの第一端領域とに区切られ、前記第二外板は、前記第二外板の内側を連接方向に横切る２つの第二折罫線によって第二中央領域と２つの第二端領域とに区切られており、前記第一折罫線及び前記第二折罫線は、２つの前記第一折罫線の、前記主折罫線と反対側の端部同士の間隔が、前記第二折罫線の、前記主折罫線と反対側の端部同士の間隔よりも広くなるように設けられており、前記第二外板の第二中央領域には、前記樹脂成型体の前記突出部が嵌合可能な大きさの外側透孔が設けられ、前記内板には、前記蓋材の、前記突出部の開口端を塞いでいる閉鎖部分に対応した大きさの内側透孔が設けられており、
組み立て状態で、前記内板は、前記副折罫線で折れて前記第二外板に重なって前記第二中央領域の内側に収まり、前記ＰＴＰシートは、前記内板と前記第二中央領域との間に配され、前記突出部が前記外側透孔を通じて外側に突出し、前記フランジ部及び前記蓋材が前記内板及び前記第二中央領域に挟まれて保持され、前記閉鎖部分が前記内側透孔に対向し、前記第一外板は、前記主折罫線で折れて前記第二外板及び前記内板に重なり、前記内板及び前記第二中央領域が前記第一中央領域の内側に収まり、対向する前記第一端領域と前記第二端領域とが相互に糊付けされており、
使用者が、２つの前記第一端領域を互いに対向させる方向に力を加えると、前記第一折罫線及び前記第二折罫線が折れ、前記第一中央領域が変形して前記内板及び前記第二中央領域から離れることによって、前記第一の中央領域と前記第二中央領域との間に収容物受け部が形成されるＰＴＰ用包装体である。
【００１１】
一方の前記第一折罫線とこれに対応する前記第二折罫線は、互いに近接した位置で前記主折罫線と交わるように設けられ、他方の前記第一折罫線とこれに対応する前記第二折罫線は、互いに近接した位置で前記主折罫線と交わるように設けられていることが好ましい。また、前記第一中央領域には、前記収容物受け部が形成される動作を補助する補助折罫線が設けられていることが好ましい。
【考案の効果】
【００１２】
本考案のＰＴＰ用包装体は、構造がシンプルでＰＴＰシートを容易に包装することができる。また、簡単な動作でＰＴＰシートから薬剤等を取り出すことができ、ＰＴＰシートから取り出した薬剤等が飛び出さないように確実に保持され、且つ、薬剤等に触れずに容易に服用することができる。
【図面の簡単な説明】
【００１３】
【図１】本考案のＰＴＰ用包装体の一実施形態の組み立て状態を示す正面図（ａ）及び背面図（ｂ）である。
【図２】この実施形態のＰＴＰ用包装体を展開した台紙を裏面側から見た図（ａ）、第一折罫線及び第二折罫線のレイアウト及び位置関係を示す図（ｂ）である。
【図３】この実施形態のＰＴＰ用包装体を組み立てる工程を順に示す図（ａ）、（ｂ）、（ｃ）である。
【図４】この実施形態のＰＴＰ用包装体の組み立て状態を示す平面図（ａ）及びＢ１−Ｂ１断面図（ｂ）である。
【図５】この実施形態のＰＴＰ用包装体から収容物を取り出すための第一の動作が行われた状態を示す平面図（ａ）及Ｂ２−Ｂ２断面図（ｂ）、その後、第二の動作が行われた状態を示すＢ２−Ｂ２断面図（ｃ）である。
【図６】この実施形態のＰＴＰ用包装体の変形例の組み立て状態を示す正面図（ａ）及び背面図（ｂ）である。
【図７】変形例のＰＴＰ用包装体を展開した台紙を裏面側から見た図（ａ）、第一折罫線及び第二折罫線のレイアウト及び位置関係を示す図（ｂ）である。
【図８】一般的なＰＴＰシートの構成を示す正面図（ａ）、背面図（ｂ）、Ａ−Ａ断面図（ｃ）である。
【考案を実施するための形態】
【００１４】
以下、本考案のＰＴＰ用包装台紙の一実施形態について、図１〜図５に基づいて説明する。この実施形態のＰＴＰ用包装体１０は、先に説明したＰＴＰシート１を包装するための包装体で、図１（ａ）、（ｂ）に示すように、組み立て状態で、略長方形のカードのような外形になる。大きさは、例えば６０ｍｍ×９０ｍｍ程度である。このＰＴＰ用包装体１０は、厚紙等で成る一枚の台紙１２を組み立てることによって形成される。
【００１５】
台紙１２は、図２（ａ）に示すように、一列に順に連接された第一外板１４、第二外板１６及び内板１８を備えている。第一外板１４は、略長方形の板で、第一外板１４の内側を連接方向に横切る２つの第一折罫線２０(1)，２０(2)によって、第一中央領域１４ａと２つの第一端領域１４ｂ(1)，１４(2)とに区切られている。第一中央領域１４ａは、ＰＴＰシート１の外形が収まる大きさで、第一端領域１４ｂ(1)，１４ｂ(2)は、第一中央領域１４ａを間に挟んでほぼ対称な形状である。
【００１６】
第二外板１６は、第一外板１４とほぼ同じ大きさの長方形の板で、主折罫線２２で第一外板１４と区切られ、内側が、第二外板１６の内側を連接方向に横切る２つの第二折罫線２４(1)，２４(2)によって、第二中央領域１６ａと２つの第二端領域１６ｂ(1)，１６(2)とに区切られている。第二中央領域１６ａは、ＰＴＰシート１の外形が収まる大きさで、第二端領域１６ｂ(1)，１６ｂ(2)は、第二中央領域１６ａを間に挟んでほぼ対称な形状である。さらに、第二中央領域１６ａには、ＰＴＰシート１の樹脂成型体２が有する突出部２ａが嵌合可能な大きさの外側透孔２６が２つ設けられている。
【００１７】
内板１８は、第二中央領域１６ａの端辺に連接された略長方形の板で、副折罫線２８で第二中央領域１６ａと区切られている。内板１８は、第二の中央領域１６ａよりも少し小さく、且つＰＴＰシート１の外形が収まる大きさである。さらに、内板１８の内側に、樹脂成型体２の、蓋材３の閉鎖部分３ａが収まる大きさの内側透孔３０が２つ設けられている。
【００１８】
ここで、図２（ｂ）に示すように、第一折罫線２０(1)，２０(2)の、主折罫線２２と反対側の端部同士の間隔をα１、主折罫線２２に交わる端部同士の間隔をα２とし、第二折罫線２４(1)，２４(2)の、主折罫線２４と反対側の端部同士の間隔をβ１、主折罫線２２に交わる端部同士の間隔をβ２として、第一折罫線２０(1)，２０(2)及び第二折罫線２４(1)，２４(2)のレイアウトと位置関係を説明する。
【００１９】
第一折罫線２０(1)と２０(2)はα１＞α２の関係を有し、第二折罫線２４(1)と２４(2)はβ１≒β２の関係を有している。また、第一折罫線２０(1)とこれに対応する第二折罫線２４(1)は、互いに近接した位置で主折罫線２２と交わり、第一折罫線２０(2)とこれに対応する第二折罫線２４(2)は、互いに近接した位置で主折罫線２２と交わっており、α２≒β２の関係を満たしている。そのため、α１＞β１の関係が成立している。
【００２０】
その他、第一中央領域１４ａには、Ｙ字形にレイアウトされた補助折罫線３２が設けられている。補助折罫線３２は、第一中央領域１４ａの、主折罫線２２と反対側の端辺の中央部から主折罫線２２に向かって真っすぐに延び、途中で２つに分岐して、第一折罫線２０(1)，２０(2)の、主折折罫線２２側の端部に各々交わっている。
【００２１】
次に、台紙１２を用いたＰＴＰシート１の包装方法の一例、すなわち、ＰＴＰ用包装体１０の組み立て方法の一例を説明する。ここで、台紙１２の表面が凸になる折り方を正折り、裏面が凸になる折り方を逆折りと称する。
【００２２】
まず、図３（ａ）に示すように、第二外板１６の第二中央領域１６ａの裏面の中央部に、ＰＴＰシート１を載置する。ＰＴＰシート１を載置する時は、樹脂成形体２（突出部２ａ、フランジ部２ｂ）を下にして、突出部２ａを外側透孔２６に差し込んで外側に突出させ、フランジ部２ｂを第二中央領域１６ａに当接させる。なお、図３（ａ）では外側透孔２６が見えていないが、蓋材３の閉鎖部分３ａの下方に位置している。
【００２３】
次に、図３（ｂ）に示すように、副折罫線２８を正折りして内板１８を第二外板１６及びＰＴＰシート１に重ねる。すると、内板１８は、第二中央領域１６ａの内側に収まり、ＰＴＰシート１は内板１８の内側に収まる。そして、内板１８が重なっていない第二端領域１６ｂ(1)，１６ｂ(2)の裏面に糊３４(1)，３４(2)を各々塗布する。
【００２４】
そして、図３（ｃ）に示すように、主折罫線２２を正折りして第一外板１４を第二外板１６及び内板１８に重ね、第一端領域１４ｂ(1)，１４ｂ(2)を第二端領域１６ｂ(1)，１６ｂ(2)に各々糊付けする。これでＰＴＰシート１の包装の作業が終了し、図１（ａ）、（ｂ）に示すＰＴＰ用包装体１０の組み立て状態になる。
【００２５】
ＰＴＰ用包装体１０の組み立て状態について簡単に説明すると、図４（ａ）、（ｂ）に示すように、内板１８は、副折罫線２８で折れて第二外板１６に重なって第二中央領域１６ａの内側に収まる。ＰＴＰシート１は、内板１８と第二中央領域１６ａとの間に配され、突出部２ａが外側透孔２６を通じて外側に突出し、フランジ部２ｂ及び蓋材３が内板１８及び第二中央領域１６ａに挟まれて保持され、閉鎖部分３ａが内側透孔３０に対向する。第一外板１４は、主折罫線２２で折れて第二外板１６及び内板１８に重なり、内板１８及び第二中央領域１６ａが第一中央領域１４ａの内側に収まり、対向する第一端領域１４ｂ(1)，１４ｂ(2)と第二端領域１６ｂ(1)，１６ｂ(2)とが糊３４(1)，３４(2)で糊付けされている。
【００２６】
ＰＴＰ用包装体１０は、長方形のカードのような平坦でコンパクトな外形になり、衣服のポケットに入れたり鞄に入れたりして携帯することができる。また、ポケットや鞄に入れて携帯する時、突出部２ａが不意に外から押圧される可能性があるが、蓋材３の閉鎖部分３ａ及び内側透孔３０が第一中央領域１４ａで閉鎖されているので、蓋材３が破断して収容物Ｓが外に出てしまうおそれはない。
【００２７】
使用者が収容物Ｓを取り出すときは、ＰＴＰ用包装体１０を片手で持ち、図５（ａ）、（ｂ）に示すように、第一端領域１４ｂ(1)と１４ｂ(2)とを互いに対向させる方向に力を加える［第一の動作］。第一折罫線２０(1)，２０(2)及び第二折罫線２４(1)，２４(2)が折れ始めると、α１＞β１の関係から、第一中央領域１４ａの上端部が第二中央領域１６ａの上端部から少し離れる。さらに第一折罫線２０(1)，２０(2)及び第二折罫線２４(1)，２４(2)が折れると、第一中央領域１４ａが外向きに変形して内板１８及び第二中央領域１６ａから大きく離れ、第一の中央領域１４ａと第二中央領域１６ｂとの間にポケット状の収容物受け部３６が形成される。この時、第一の中央領域１４ａの補助折罫線３２は、第一中央領域１４ａを適切な形状に変化させ、収容物受け部３６の形成がスムーズに行われるように補助する。
【００２８】
このように、使用者が第一の動作を行うと、第一中央領域１４ａによる閉鎖部分３ａ及び内側透孔３０の閉鎖が解除され、且つ内側透孔３０の外側にポケット状の収容物受け部３６が形成された状態になる。
【００２９】
その後、図５（ｃ）に示すように、使用者が反対側の手の指で、ＰＴＰシート１の突出部２ａの頂部を外側から押し込む［第二の動作］。すると、収容物Ｓに押されて閉鎖部分３ａが破れ、収容物Ｓは、内側透孔３０を通じて押し出され、収容物受け部３６の底部に落下して保持される。そして、ＰＴＰ用包装体１０を口元に運び、コップで水を飲む要領でＰＴＰ包装体１０を傾けることによって、収容物Ｓ（薬剤等）を簡単に服用することができる。
【００３０】
以上説明したように、ＰＴＰ用包装体１０は、構造がシンプルでＰＴＰシート１を容易に包装することができる。また、簡単な動作でＰＴＰシート１から薬剤（収容物Ｓ）を取り出すことができ、ＰＴＰシート１から取り出した薬剤（収容物Ｓ）が飛び出さないように確実に保持され、しかも、薬剤等（収容物Ｓ）を手で触らずに服用することができる。
【００３１】
次に、ＰＴＰ用包装体１０の変形例について、図６、図７に基づいて説明する。図６（ａ）、（ｂ）に示す変形例のＰＴＰ用包装体１０ｘは、図１（ａ）、（ｂ）に示すＰＴＰ用包装体１０と比較して分かるように、第一折罫線２０(1)，２０(2)及び第二折罫線２４(1)，２４(2)のレイアウトと位置関係を少し変更したものである。
【００３２】
図７（ａ）、（ｂ）は、ＰＴＰ用包装体１０ｘを展開した台紙１２ｘを示している。台紙１２ｘの場合、第一折罫線２０(1)と２０(2)はα１＜α２の関係を有し、第二折罫線２４(1)と２４(2)はβ１＜β２の関係を有しており、台紙１２とは少し異なっている。しかし、第一折罫線２０(1)とこれに対応する第二折罫線２４(1)は、互いに近接した位置で主折罫線２２と交わり、第一折罫線２０(2)とこれに対応する第二折罫線２４(2)は、互いに近接した位置で主折罫線２２と交わっており、台紙１２と同様にα２≒β２の関係を満たしている。また、台紙と同様にα１＞β１の関係も成立させている。
【００３３】
使用者が収容物Ｓを取り出すため第一の動作を行った時、α１＞β１を満たすことによって、第一中央領域１４ａが確実に外向きに変形し、第一中央領域１４ａが内板１８及び第二中央領域１６ａから離れる動作がスムーズに行われる。また、α２≒β２を満たすことによって、第一折罫線２０(1)，２０(2)及び第二折罫線２４(1)，２４(2)が一緒に折れる動作がスムーズに行われる。したがって、ＰＴＰ用包装体１０ｘにおいても、上記のＰＴＰ用包装体１０と同様の動作が行われ、同様の優れた効果が得られる。
【００３４】
なお、本考案のＰＴＰ用包装体は、上記実施形態に限定されるものではない。例えば、ＰＴＰ包装体１０，１０ｘのα１＞β１の関係について、α１とβ1の最適な比率は、ＰＴＰ用包装体のサイズや台紙の厚み等の条件によって異なるので、図面に表した比率が必ず最適とは言えない。しかし、１〜３回程度の試作を行うことによって簡単に最適化することができる。また、α２≒β２の関係については、台紙が薄い場合はα２とβ２を同じ値にしてもよいが、ある程度の厚みがある場合は、僅かにα２をβ２より大きくすることが好ましい。これについても、上記の試作を行う中で簡単に微調整できる。
【００３５】
第一中央領域の補助折罫線は、第一中央領域を適切な形状に変形させ、収容物受け部が形成される動作がスムーズに行われるように補助するものであればよく、上記のＹ字形とは異なるレイアウトしてもよい。また、補助折罫線は、必要なければ省略してもよい。
【００３６】
上記のＰＴＰ用包装体１０，１０ｘは、２つの収容物Ｓが入ったＰＴＰシート１を包装するものであるが、収容物Ｓの数が異なるＰＴＰシートを包装する場合は、収容物Ｓの数に合わせて外側透孔２６と内側透孔３０の数を変更すればよい。
【００３７】
組み立て状態のＰＴＰ用包装体の外形は、ＰＴＰ用包装体１０，１０ｘのような略長方形のカードのような外形に限定されず、上述した動作を行って収容物Ｓを取り出すことができる範囲で、各部の形状を変更することができる。例えば、第一外板の第一端領域や第二外板の第二端領域の形状は、ハンドリングのしやすさやデザイン性等を考慮して自由に変更することができる。
【００３８】
その他、台紙は、厚紙以外の素材を使用してもよい。また、ＰＴＰシートに収容される収容物は、医療用の薬剤に限らず他の商品でもよい。
【符号の説明】
【００３９】
１  ＰＴＰシート
２  樹脂成型体
２ａ  突出部
２ｂ  フランジ部
３  蓋材
３ａ  閉鎖部分
１０，１０ｘ  ＰＴＰ用包装体
１２，１２ｘ  台紙
１４  第一外板
１４ａ  第一中央領域
１４ｂ(1)，１４ｂ(2)  第一端領域
１６  第二外板
１６ａ  第二中央領域
１６ｂ(1)，１６ｂ(2)  第二端領域
１８  内板
２０(1)，２０(2)  第一折罫線
２２  主折罫線
２４(1)，２４(2)  第二折罫線
２６  外側透孔
２８  副折罫線
３０  内側透孔
３２  補助折罫線
３４(1)，３４(2)  糊
３６  収容物受け部
Ｓ  収容物
【図１】
0003234715.tif 000003
【図２】
0003234715.tif 000004
【図３】
0003234715.tif 000005
【図４】
0003234715.tif 000006
【図５】
0003234715.tif 000007
【図６】
0003234715.tif 000008
【図７】
0003234715.tif 000009
【図８】
0003234715.tif 000010